(57)【要約】【課題】防犯カメラ装置で撮影した撮影データを効率よく記録することにより、エレベーター内の犯罪を抑止すること。【解決手段】防犯カメラ装置１０３は、扉１０１および操作盤１０２が設けられている壁面に近い天井に設けられている。これは、カゴ内の乗員が、扉１０１側の面を向いて立つことが一般的であることを想定している。すなわち、通常、乗員は、カゴ１００内に入った後、扉１０１側を向いて立つことが多く、防犯カメラ装置１０３をこのような位置に設けることによって、カゴ１００内に乗っている際の乗員の表情を容易に撮影することができる。また、降りる際の乗員の表情を撮影することができる。【選択図】図１
2020109045.tif 000002
【特許請求の範囲】
【請求項１】
エレベーターのカゴ内に後付けされ、当該カゴ内を撮影する防犯カメラ装置であって、
前記防犯カメラ装置に内蔵される内部メモリと、
前記防犯カメラ装置に対して着脱可能なメモリカードを装着するカードスロットと、
前記カゴ内を撮影した撮影データを記録する記録制御部と、
前記カードスロットを経由して前記メモリカードに記憶されているデータの読み出しができ、かつ、前記カードスロットを経由して前記メモリカードへの書込ができる状態か否かを判断する判断部と、
を備え、
前記記録制御部は、前記判断部による判断結果に基づいて、前記メモリカードに記憶されているデータの読み出しができ、かつ、前記メモリカードへの書込ができる状態である場合に、前記カゴ内を撮影した撮影データを前記メモリカードに記録し、前記メモリカードに記憶されているデータの読み出しができない、または、前記メモリカードへの書込ができない状態である場合に、前記撮影データを前記内部メモリに記録することを特徴とする防犯カメラ装置。
【請求項２】
エレベーターのカゴ内に後付けされ、当該カゴ内を撮影する防犯カメラ装置であって、
前記防犯カメラ装置に内蔵される内部メモリと、
前記防犯カメラ装置に対して着脱可能なメモリカードを装着するカードスロットと、
前記カゴ内を撮影した撮影データを記録する記録制御部と、
前記カードスロットを経由して前記メモリカードに記憶されているデータの読み出しができ、かつ、前記カードスロットを経由して前記メモリカードへの書込ができる状態か否かを判断する判断部と、
を備え、
前記記録制御部は、前記判断部による判断結果に基づいて、前記メモリカードに記憶されているデータの読み出しができ、かつ、前記メモリカードへの書込ができる状態である場合に、前記カゴ内を撮影した撮影データを前記メモリカードに記録し、前記メモリカードに記憶されているデータの読み出しができない、または、前記メモリカードへの書込ができない状態である場合に、前記撮影データを前記内部メモリに記録することなく、破棄することを特徴とする防犯カメラ装置。
【発明の詳細な説明】
【技術分野】
【０００１】
この発明は、エレベーターのカゴ内に設置され、当該カゴ内を撮影する防犯カメラ装置に関する。
【背景技術】
【０００２】
従来から、一部のエレベーターのカゴ内において、エレベーターの乗員に対して画像を撮影する防犯カメラ装置を備えたエレベーターは存在していた。
【０００３】
関連する技術として、具体的には、エレベーターの乗りカゴ内を撮影する監視カメラである防犯カメラと、撮影された映像を録画映像として記録する記録装置と、を備え、防犯カメラは乗りカゴ内に設置され、記録装置は乗りカゴの上に設置されているエレベーターの録画映像再生システムがある（たとえば、下記特許文献１を参照。）。
【先行技術文献】
【特許文献】
【０００４】
【特許文献１】特開２０１８−２４０２号公報
【発明の概要】
【発明が解決しようとする課題】
【０００５】
しかしながら、防犯カメラ装置は、エレベーターを新規で設置する際にあらかじめカゴ内に備え付けられたものが多く、それらのエレベーターは、一般的に、高価なエレベーターに限られる。そして、大多数のエレベーターは、大がかりな取り付け工事をおこなうことで、後付けされることによって、防犯カメラ装置が装着されることになる。
【０００６】
すなわち、防犯カメラ装置を後付けするにあたって問題となるのは、映像データの記録に関する問題である。従来は、エレベーターの設置時において防犯カメラも設置していたため、カメラだけがカゴ内に設けられ、データ線を用いて、エレベーターのカゴの外に映像データを記録できる記録装置を設置していたが、これでは、取り付け工事に多くの時間と費用がかかる。したがって、防犯カメラ装置の普及率は、それほど高くない、という問題があった。
【０００７】
昨今、エレベーターのカゴ内での犯罪やトラブルが増加しており、その状況を画像として記録しておく防犯カメラ装置の設置の必要性が高まっている。
【０００８】
この発明は、上述した従来技術による問題点を解消するため、後付けにより、防犯カメラ装置を容易に設置することができ、その防犯カメラで撮影した撮影データを効率よく記録することを目的とする。
【課題を解決するための手段】
【０００９】
上述した課題を解決し、目的を達成するため、この発明にかかる防犯カメラ装置は、エレベーターのカゴ内に後付けされ、当該カゴ内を撮影する防犯カメラ装置であって、前記防犯カメラ装置に内蔵される内部メモリと、前記防犯カメラ装置に外付けされる外部メモリを接続する接続端子と、前記カゴ内を撮影した撮影データを記録する記録制御部と、前記接続端子に前記外部メモリが接続されているか否かを判断する判断部と、を備え、前記記録制御部は、前記判断部による判断結果に基づいて、前記接続端子に前記外部メモリが接続されている場合に、前記カゴ内を撮影した撮影データを前記外部メモリに記録することを特徴とする。
【００１０】
また、この発明にかかる防犯カメラ装置は、上記の発明において、前記記録制御部が、前記判断部による判断結果に基づいて、前記接続端子に前記外部メモリが接続されていない場合に、前記撮影データを前記内部メモリに記録することを特徴とする。
【００１１】
また、この発明にかかる防犯カメラ装置は、上記の発明において、前記判断部が、前記接続端子に接続されている前記外部メモリに空き領域があるか否かを判断し、前記記録制御部が、前記判断部による判断結果に基づいて、前記接続端子に接続されている前記外部メモリに空き領域がない場合に、前記撮影データを前記内部メモリに記録することを特徴とする。
【００１２】
また、この発明にかかる防犯カメラ装置は、上記の発明において、前記判断部が、前記接続端子に接続されている前記外部メモリに空き領域があるか否かを判断し、前記記録制御部が、前記判断部による判断結果に基づいて、前記接続端子に接続されている前記外部メモリに空き領域がない場合に、前記外部メモリに記録されている撮影データの全部または一部を前記内部メモリへ転送することを特徴とする。
【００１３】
また、この発明にかかる防犯カメラ装置は、上記の発明において、前記記録制御部が、前記外部メモリに記録されている撮影データの全部または一部を前記内部メモリへ転送する際に、転送する撮影データの全部または一部をデータ圧縮して、前記内部メモリに記録することを特徴とする。
【００１４】
また、この発明にかかる防犯カメラ装置は、上記の発明において、前記判断部が、前記内部メモリに空き領域があるか否かを判断し、前記記録制御部が、前記判断部による判断結果に基づいて、前記接続端子に接続されている前記外部メモリおよび前記内部メモリともに空き領域がない場合に、前記外部メモリまたは前記内部メモリに記録されている撮影データのうち、最も古い撮影データを削除することを特徴とする。
【００１５】
また、この発明にかかる防犯カメラ装置は、上記の発明において、前記外部メモリが前記接続端子に接続された際および前記接続端子に接続されていた前記外部メモリが当該接続を解除された際の少なくともいずれかの際に、その旨を通知する通知部を備えたことを特徴とする。
【００１６】
また、この発明にかかる防犯カメラ装置は、上記の発明において、前記通知部が、前記その旨を無線通信または有線通信によってあらかじめ設定した外部装置へ送信することを特徴とする。
【００１７】
また、この発明にかかる防犯カメラ装置は、エレベーターのカゴ内に後付けされ、当該カゴ内を撮影する防犯カメラ装置であって、前記防犯カメラ装置に内蔵される内部メモリと、前記防犯カメラ装置に外付けされる外部メモリを接続する接続端子と、前記カゴ内を撮影した撮影データを記録する記録制御部と、前記内部メモリまたは前記外部メモリのいずれかを選択する選択部と、を備え、前記記録制御部が、前記選択部による選択結果に基づいて、前記カゴ内を撮影した撮影データを、前記内部メモリまたは前記外部メモリに記録することを特徴とする。
【００１８】
また、この発明にかかる防犯カメラ装置は、上記の発明において、前記外部メモリが、前記防犯カメラ装置に対して着脱可能なメモリカードであり、前記接続端子が、当該メモリカードのスロット装置であることを特徴とする。
また、この発明にかかる防犯カメラ装置は、エレベーターのカゴ内に後付けされ、当該カゴ内を撮影する防犯カメラ装置であって、前記防犯カメラ装置に内蔵される内部メモリと、前記防犯カメラ装置に対して着脱可能なメモリカードを装着するカードスロットと、前記カゴ内を撮影した撮影データを記録する記録制御部と、前記カードスロットを経由して前記メモリカードに記憶されているデータの読み出しができ、かつ、前記カードスロットを経由して前記メモリカードへの書込ができる状態か否かを判断する判断部と、を備え、前記記録制御部は、前記判断部による判断結果に基づいて、前記メモリカードに記憶されているデータの読み出しができ、かつ、前記メモリカードへの書込ができる状態である場合に、前記カゴ内を撮影した撮影データを前記メモリカードに記録し、前記メモリカードに記憶されているデータの読み出しができない、または、前記メモリカードへの書込ができない状態である場合に、前記撮影データを前記内部メモリに記録することを特徴とする。
また、この発明にかかる防犯カメラ装置は、エレベーターのカゴ内に後付けされ、当該カゴ内を撮影する防犯カメラ装置であって、前記防犯カメラ装置に内蔵される内部メモリと、前記防犯カメラ装置に対して着脱可能なメモリカードを装着するカードスロットと、前記カゴ内を撮影した撮影データを記録する記録制御部と、前記カードスロットを経由して前記メモリカードに記憶されているデータの読み出しができ、かつ、前記カードスロットを経由して前記メモリカードへの書込ができる状態か否かを判断する判断部と、を備え、前記記録制御部は、前記判断部による判断結果に基づいて、前記メモリカードに記憶されているデータの読み出しができ、かつ、前記メモリカードへの書込ができる状態である場合に、前記カゴ内を撮影した撮影データを前記メモリカードに記録し、前記メモリカードに記憶されているデータの読み出しができない、または、前記メモリカードへの書込ができない状態である場合に、前記撮影データを前記内部メモリに記録することなく、破棄することを特徴とする。
【発明の効果】
【００１９】
この発明にかかる防犯カメラ装置によれば、後付けにより、防犯カメラ装置を容易に設置することができ、その防犯カメラ装置で撮影した撮影データを効率よく記録することにより、エレベーター内の犯罪を抑止することができるという効果を奏する。
【図面の簡単な説明】
【００２０】
【図１】図１は、この発明にかかる実施の形態の防犯カメラ装置の設置の一例を示す説明図である。
【図２Ａ】図２Ａは、この発明にかかる実施の形態の防犯カメラ装置の外観の一例（その１）を示す説明図である。
【図２Ｂ】図２Ｂは、この発明にかかる実施の形態の防犯カメラ装置の外観の一例（その２）を示す説明図である。
【図３】図３は、この発明にかかる実施の形態の防犯カメラ装置のハードウエア構成の一例を示すブロック図である。
【図４】図４は、この発明にかかる実施の形態の防犯カメラ装置の機能的構成の一例を示すブロック図である。
【図５】図５は、この発明にかかる実施の形態の防犯カメラ装置の切替スイッチ一覧の内容の一例を示す説明図である。
【図６】図６は、この発明にかかる実施の形態の防犯カメラ装置が実行する処理の手順の一例を示すフローチャートである。
【発明を実施するための形態】
【００２１】
以下に添付図面を参照して、この発明にかかる防犯カメラ装置の好適な実施の形態を詳細に説明する。
【００２２】
（防犯カメラ装置の設置例）
図１は、この発明にかかる実施の形態の防犯カメラ装置の設置の一例を示す説明図である。図１は、エレベーターのカゴ１００内の様子を示しており、図１において、エレベーターのカゴ１００内には、乗員が出入りする出入り口部分の扉１０１と、カゴに搭乗した乗員が操作する操作盤１０２と、が備えられている。
【００２３】
さらに、カゴ１００には、図２Ａ、図２Ｂに示す、コンセントプラグ２０５の挿入を受け付けるプラグソケット１０４が設けられている。プラグソケット１０４は、コンセントプラグ２０５が挿入されることによって当該コンセントプラグ２０５とともに配線用差込接続器を構成する。具体的には、たとえば、日本において汎用的に用いられているＡタイプのプラグソケット１０４を用いることができる。
【００２４】
プラグソケット１０４は、Ａタイプに限るものではない。具体的には、たとえば、インドやインドネシアなどにおいて広く用いられているＢ３タイプやＣタイプのプラグソケット１０４を用いてもよく、香港などにおいて広く用いられているＢＦタイプのプラグソケット１０５を用いてもよい。
【００２５】
あるいは、韓国などにおいて広く用いられているＳＥタイプのプラグソケット１０４を用いてもよく、台湾などにおいて広く用いられているＯタイプのプラグソケット１０４を用いてもよい。中国など、複数タイプのプラグソケット１０４が普及している国や地域においては、Ａタイプ、Ｂタイプ、Ｃタイプ、Ｂ３タイプ、ＢＦタイプ、ＳＥタイプ、Ｏタイプなど様々なタイプの中から、エレベーターを設置する地域に応じた任意のタイプのプラグソケット１０４を用いることが好ましい。
【００２６】
プラグソケット１０４は、カゴ上ボックスが収容する基板の電気回路に電気的に接続されている。すなわち、プラグソケット１０４は、カゴ上ボックスが収容する基板の電気回路の端子に直接結線されているものに限らず、当該端子に接続された電力線に接続されていてもよい。このような電力線にプラグソケット１０４を接続する場合、当該電力線に分岐用のコネクタを設け、当該コネクタにプラグソケット１０４を接続することができる。
【００２７】
図１に示すように、プラグソケット１０４がカゴ１００内に露出している場合、当該プラグソケット１０４は、カゴ１００内の高い位置に配置することが好ましい。このように、カゴ１００内に露出したプラグソケット１０４をカゴ１００内の高い位置に配置することにより、雨天時に傘や衣服から飛んだ水滴が付着することを防止でき、また、子供などによる悪戯をしにくくすることができる。
【００２８】
プラグソケット１０４は、１つのカゴ１００に１つ設けられていてもよく、１つのカゴ１００に複数設けられていてもよい。１つのカゴ１００に複数のプラグソケット１０４を設ける場合、当該複数のプラグソケット１０４を並べて配置してもよく、複数箇所に分散して配置してもよい。プラグソケット１０４は、たとえば、当該プラグソケット１０４がカゴ１００の内壁面と同一面内に位置するように配置する。
【００２９】
また、カゴ１００には、プラグソケット１０４に代えて、図示を省略する、接栓座を設けるようにしてもよい。接栓座１０４は、図示を省略するカゴ上ボックスが収容する電気回路から供給される電源を、当該接栓座に接続された防犯カメラ装置１０３に対して供給する機能を備えることが好ましい。具体的には、たとえば、電源供給用の配線を備えたレセクタブルを用いることによって、接栓座に接続された電気機器に対して電源を供給する機能を実現することができる。また、電源供給用の配線に加えて、信号伝送用の配線を備えていてもよい。
【００３０】
接栓座を実現するレセクタブルは、当該レセクタブルに接続されている防犯カメラ装置１０３の動作中に抜き差しすることができるホットプラグによって実現することが好ましい。また、接栓座を実現するレセクタブルは、さらに、図示を省略する制御回路を介して防犯カメラ装置１０３への給電をおこなうことができる。
【００３１】
接栓座１０４を実現するレセクタブルとしてのＵＳＢコネクタは、たとえば、ＵＳＢ  Ｔｙｐｅ−Ａコネクタ、Ｍｉｃｒｏ  ＵＳＢコネクタ、Ｍｉｃｒｏ  ＵＳＢ  Ｔｙｐｅ−Ｂコネクタ、ＵＳＢ  Ｔｙｐｅ−Ｃコネクタなど公知の各種のＵＳＢコネクタのレセクタブルによって実現することができる。
【００３２】
また、接栓座を実現するレセクタブルは、ＵＳＢインタフェースのコネクタ（レセクタブル）に限るものではなく、たとえば、ＩＥＥＥ  １３９４コネクタ、ＰＳ／２コネクタ、Ｄ−Ｓｕｂコネクタ、ＤＩＮコネクタ、同軸コネクタ、その他公知の各種の通信用のコネクタによって実現されるものであってもよい。
【００３３】
接栓座を実現するレセクタブルは、１つのカゴ１００に１つ設けられていてもよく、１つのカゴ１００に複数設けられていてもよい。１つのカゴ１００に複数の接栓座を実現するレセクタブルを設ける場合、通信Ｉ／Ｆのコネクタは１種類であってもよく、複数種類であってもよい。
【００３４】
接栓座を実現するレセクタブルは、たとえば、当該接栓座を実現するレセクタブルの端部がカゴ１００の内壁面と同一面内に位置するように配置する。
【００３５】
また、プラグソケット１０４を用いることなく、カゴ１００の壁面または天井に孔を開けて、その孔にプラグソケット１０４および電源ケーブルをを通して、かご上に設けられたメンテナンス用プラグソケット（図示を省略）に直接接続するようにしてもよい。
【００３６】
防犯カメラ装置１０３は、図１に示すように、扉１０１および操作盤１０２が設けられている壁面に近い天井に設けられている。これは、カゴ内の乗員が、扉１０１側の面を向いて立つことが一般的であることを想定している。すなわち、通常、乗員は、カゴ１００内に入った後、扉１０１側を向いて立つことが多く、防犯カメラ装置１０３をこのような位置に設けることによって、カゴ１００内に乗っている際の乗員の表情を容易に撮影することができる。また、降りる際の乗員の表情を撮影することができる。
【００３７】
さらに、防犯カメラ装置１０３は、天井に設置しているので、乗員が防犯カメラ装置１０３を容易に触れることができない。したがって、乗員により、不用意に後付けされた防犯カメラ装置１０３が取り外されたり、不正操作されたり、壊されたりすることを防止することができる。
【００３８】
また、図示は省略するが、扉１０１および操作盤１０２が設けられている壁面に対向する壁面（カゴ１００の奥側の壁面）に近い天井に設けるようにしてもよい。このように、カゴ１００の奥側の壁面に設けることによって、防犯カメラ装置１０３は、乗員がカゴ１００内に入ってくる際の表情を撮影することができる。
【００３９】
したがって、扉１０１および操作盤１０２が設けられている壁面に近い天井と、その壁面に対向する壁面（カゴ１００の奥側の壁面）に近い天井とに、それぞれ、防犯カメラ装置１０３を設けることによって、乗客が入ってくる際の表情および乗客が降りる際の表情の両方を撮影することができる。
【００４０】
また、防犯カメラ装置１０３は、天井に設けることに代えて、扉１０１および操作盤１０２が設けられている壁面と同一の壁面の上側に設けてもよく、あるいは、側壁面に設けるようにしてもよい。その際にも、天井に近い上側の位置に設けるようにするとよい。これにより、天井に設けた場合と同様に、取り外しや不正操作などを防止することができる。
【００４１】
このように、防犯カメラ装置１０３は、カゴ１００内の扉１０１の上端よりも上側の位置のどの位置に設置してもよい。後付けすることができるので、カゴ１００の広さ（定員数）やカゴ１００の高さ、カゴの形状（床が正方形あるいは長方形など）、エレベーターの種類（シースルー型、壁面に鏡のあるなし、外扉の種類（窓の有り無し）などを勘案して、防犯カメラ装置１０３を最適な位置に設置することができる。また、設置後に、自由にその設置位置を変更することもできる。
【００４２】
また、天井または壁面への取り付けは、たとえば、ネジ止めによりおこなうことができる。これにより、落下を確実に防止することができる。また、ネジ止め以外の方法（たとえばマグネットなどを使用するなど）によって、取り付けるようにしてもよい。
【００４３】
（防犯カメラ装置１０３の外観）
つぎに、防犯カメラ装置１０３の外観について説明する。図２Ａおよび図２Ｂは、この発明にかかる実施の形態の防犯カメラ装置の外観の一例を示す説明図である。図２Ａは、撮像部２０１を覆うドーム型のカバー２０３を外した状態を示しており、図２Ｂは、カバー２０３を装着した状態を示している。
【００４４】
図２Ａ、図２Ｂに示すように、防犯カメラ装置１０３は、撮像部（カメラ）２０１と、撮像部２０１を支持する筐体２０２と、カバー２０３と、メモリカード２１０を装着するカードスロット２０４と、電源の供給を受けるコンセントプラグ２０５と、を備えている。
【００４５】
撮像部２０１は、レンズの向きを可変にできるような調整（回動）機構を備え、カゴ１００全体を撮影できるように調整することができる。撮像部２０１には、レンズのほか、撮像素子や、各種データを記録する内蔵メモリなどを備えている。
【００４６】
筐体２０２は、撮像部２０１およびカバー２０３を支持する。筐体２０２の材質は、具体的には、たとえば、プラスチックなどの非金属であってもよく、また、アルミニウムなどの金属であってもよい。
【００４７】
カバー２０３は、透明または着色されたアクリルなどの素材でできており、カバー２０３を装着した状態でも、撮像部２０１による撮影が可能である。カバー２０３は、撮像部２０１をほこりなどから保護することができるとともに、撮像部２０１のレンズなどがむき出しになることによって、乗員に不快感を与えないようにすることができる。
【００４８】
カードスロット２０４は、筐体２０２の所定の位置に設けられている。メモリカード２１０が容易に取り外されて盗難の被害を受けないように、目立たない位置に設けるのが望ましい。また、筐体２０２を取り外すことで露出する撮像部２０１の所定の位置にカードスロット２０４を設けるようにしてもよい。
【００４９】
コンセントプラグ２０５は、上述のように、プラグソケット１０４に接続して、電源の供給を受ける。
【００５０】
防犯カメラ装置の形状は、図２Ａ、図２Ｂに示した、いわゆるドーム型のカメラ装置には限定されない。カゴ１００内を撮影できる機能を備えた装置であれば、他の装置であってもよい。
【００５１】
メモリカード２１０は、防犯カメラ装置１０３に対して着脱可能なメモリカードであり、たとえば、ＳＤ（Ｓｅｃｕｒｅ  Ｄｉｇｉｔａｌ）メモリカードなどのＩＣカードによってその機能を実現することができる。メモリカード２１０は、外付けハードディスク、ＵＳＢメモリ、ＳＳＤなどによって、その機能を実現するようにしてもよい。
【００５２】
（防犯カメラ装置１０３のハードウエア構成）
図３は、この発明にかかる実施の形態の防犯カメラ装置のハードウエア構成の一例を示すブロック図である。図３において、防犯カメラ装置１０３は、撮像部２０１のほか、ＣＰＵ３０１と、メモリ３０２と、通信インタフェース（Ｉ／Ｆ）３０３と、メモリカードインタフェース（Ｉ／Ｆ）３０４と、センサ３０５と、入出力デバイス３０６と、電源制御部３０７と、を備えている。撮像部２０１と、各構成部３０１〜３０７は、バス３００によって接続されている。
【００５３】
撮像部２０１は、撮像素子を備え、撮像素子がレンズを通して受光した光を電気信号に変換することによって、画像情報（撮影データ）を取得する。撮像部２０１は、静止画を撮影するものであってもよく、動画を撮影するものであってもよい。動画は、静止画を所定時間間隔で撮影したものを連続して再生するものであってもよい。また、動画は、所定の動画・音声データの圧縮方式の標準規格（たとえば、ＭＰＥＧ（Ｍｏｖｉｎｇ  Ｐｉｃｔｕｒｅ  Ｅｘｐｅｒｔｓ  Ｇｒｏｕｐ））などであってもよい。
【００５４】
撮像部２０１によるカゴ１００内の撮影は、２４時間連続しておこなうようにしてもよく、所定の条件に基づいて、断続的におこなうようにしてもよい。所定の条件は、たとえば、曜日や時刻などによって撮影を停止したり、エレベーターの稼働状況を、センサ３０５によって検知し、その検知結果に基づいて、撮影を停止したりしてもよい。具体的には、たとえば、センサ３０５のマイクによってカゴ１００内における音を集音し、集音した音の種類や大きさなどに基づいて、エレベーターの稼働音や人の声に反応して、撮影を開始したり、停止したりするようにしてもよい。
【００５５】
ＣＰＵ３０１は、メモリ３０２に記憶されたプログラムを実行することによって、防犯カメラ装置１０３の装置全体の制御をつかさどる。メモリ３０２は、ＣＰＵ３０１が実行するプログラムを記憶するととともに、取得した撮影データを含む各種情報を記録（記憶）することができる。メモリ３０２は、ハードディスクメモリのほか、ＩＣメモリ、ＳＳＤ（Ｓｏｌｉｄ  Ｓｔａｔｅ  Ｄｒｉｖｅ）などであってもよい。
【００５６】
通信Ｉ／Ｆ３０３は、通信回線を通じて防犯カメラ装置１０３と接続されるインタフェースである。通信Ｉ／Ｆ３０３には、たとえば、Ｗｉ−Ｆｉ（登録商標）による無線インタフェースであり、インターネットなどのネットワーク３１０に接続される。また、通信Ｉ／Ｆ３０３は、携帯電話回線（たとえばＬＴＥ（Ｌｏｎｇ  Ｔｅｒｍ  Ｅｖｏｌｕｔｉｏｎ）、ＰＨＳ（Ｐｅｒｓｏｎａｌ  Ｈａｎｄｙ−ｐｈｏｎｅ  Ｓｙｓｔｅｍ）など）、Ｂｌｕｅｔｏｏｔｈ（登録商標）などの無線通信のインタフェースであってもよく、また、モデムやＬＡＮアダプタなどの有線通信のインタフェースを採用することができる。そして、通信Ｉ／Ｆ３０３は、ネットワークと内部のインタフェースをつかさどり、外部装置からのデータの入力および外部装置へのデータの出力を制御する。
【００５７】
メモリカードインタフェース（Ｉ／Ｆ）３０４は、カードスロット２０４を介して防犯カメラ装置１０３と接続されるインタフェースである。メモリカードＩ／Ｆ３０４は、メモリカード２１０と内部のインタフェースをつかさどり、メモリカード２１０からのデータの入力およびメモリカード２１０へのデータの出力を制御する。
【００５８】
センサ３０５は、フォトトランジスタや、フォトダイオードなどの照度センサ、音の大きさや周波数を測定することができる音センサのほか、加速度センサ、振動センサ、傾きセンサ、温度センサ、人感センサ（人の動きなどによって、人がいることを検知するセンサ）などの各種センサを含む。
【００５９】
また、センサ３０５は、ＧＰＳ受信機を含む。ＧＰＳ受信機は、３つ乃至５つのＧＰＳ衛星からの電波を受信し、ＧＰＳ衛星との幾何学的位置を求めるために、ＧＰＳ衛星からの電波を受信してＧＰＳ測位データを出力する。ＧＰＳ受信機により、防犯カメラ装置１０３の現在位置を把握することができる。
【００６０】
入出力デバイス３０６は、後述する切替スイッチのほか、文字、数字、各種指示などの入力のためのキーまたはボタンを含む。また、入出力デバイス３０６は、マイク、スピーカ、ディスプレイ（タッチパネル）、他の情報処理装置を接続可能な接続端子などを含む。
【００６１】
ディスプレイは、液晶表示器（ＬＣＤ：Ｌｉｑｕｉｄ  Ｃｒｙｓｔａｌ  Ｄｉｓｐｌａｙ）、有機ＥＬ（Ｅｌｅｃｔｒｏ−Ｌｕｍｉｎｅｓｃｅｎｃｅ）ディスプレイ、７セグメントディスプレイなどによって実現される。スピーカは、音声信号である電気信号によって振動板を振動させて音を発生させる。また、スピーカは、音声信号を出力する出力端子であってもよく、当該出力端子に外部スピーカを接続して、音を発生させるようにしてもよい。
【００６２】
電源制御部３０７は、外部からの電源の供給を受けるコンセントプラグ２０５およびケーブルと、供給を受けた電源の電圧を調整する、防犯カメラ装置１０３の内部に備えられた電圧調整部とを含む。また、リチウム電池などのバッテリーなどを備えていてもよい。
【００６３】
（防犯カメラ装置１０３の機能的構成）
図４は、この発明にかかる実施の形態の防犯カメラ装置の機能的構成の一例を示すブロック図である。図４において、防犯カメラ装置１０３は、内部メモリ４０１と、接続端子４０２と、記録制御部４０３と、判断部４０４と、通知部４０５とを、含む構成となっている。さらに、防犯カメラ装置１０３は、選択部４０６を含んでいる。
【００６４】
内部メモリ４０１は、防犯カメラ装置に内蔵される。内部メモリ４０１は、具体的には、たとえば、図３に示したメモリ３０２などによって、その機能を実現することができる。
【００６５】
接続端子４０２は、防犯カメラ装置に外付けされる外部メモリ４００を接続する。接続端子４０２は、具体的には、たとえば、図２Ａ、図２Ｂに示したカードスロット２０４（図３に示したメモリカードＩ／Ｆ３０４）などによって、その機能を実現することができる。
【００６６】
また、外部メモリ４００は、図２Ａ、図２Ｂ、図３に示したメモリカード２１０によって、その機能を実現することができる。また、外部メモリ４００は、メモリカード２１０のほか、外付けハードディスク、ＵＳＢメモリ、ＳＳＤなどによって、その機能を実現するようにしてもよい。
【００６７】
記録制御部４０３は、カゴ内を撮影した撮影データを記録する。記録制御部４０３は、具体的には、たとえば、図３に示したＣＰＵ３０１が、メモリ３０２などに記憶されたプログラムを実行することによって、その機能を実現することができる。記録制御部４０３は、たとえばＣＰＵ３０１が備えている時計が計時する日時情報を撮影データに含めて記録することができる。
【００６８】
判断部４０４は、第１の判断として、接続端子４０２に外部メモリ４００が接続されているか否かを判断する。また、判断部４０４は、第２の判断として、（第１の判断の結果、接続端子４０２に外部メモリ４００が接続されていることを前提として、）接続端子４０２に接続されている外部メモリ４００に空き領域があるか否かを判断するようにしてもよい。また、判断部４０４は、第３の判断として、内部メモリ４０１に空き領域があるか否かを判断するようにしてもよい。
【００６９】
判断部４０４は、具体的には、たとえば、図３に示したＣＰＵ３０１が、メモリ３０２などに記憶されたプログラムを実行することによって、その機能を実現することができる。
【００７０】
たとえば、判断部４０４は、接続端子４０２を介して外部メモリ４００にアクセス可能か否かによって、接続端子４０２に外部メモリ４００が接続されているか否かの判断（第１の判断）をすることができる。より具体的には、接続端子４０２を経由して外部メモリ４００に記憶されているデータの読み出しができる状態にある場合に、接続端子４０２に外部メモリ４００が接続されていると判断することができる。
【００７１】
また、判断部４０４は、接続端子４０２を経由して外部メモリ４００へのデータの書き込みができる状態にある場合に、接続端子４０２に外部メモリ４００が接続されていると判断することができる。
【００７２】
また、判断部４０４は、接続端子４０２を経由して外部メモリ４００に記憶されているデータの読み出しができ、かつ、接続端子４０２を経由して外部メモリ４００へのデータの書き込みができる状態にある場合に、接続端子４０２に外部メモリ４００が接続されていると判断することができる。
【００７３】
そして、記録制御部４０３は、判断部４０４による、接続端子４０２に外部メモリ４００が接続されているか否か（第１の判断）の判断結果に基づいて、接続端子４０２に外部メモリ４００が接続されている場合には、カゴ内を撮影した撮影データを外部メモリ４００に記録する。
【００７４】
また、記録制御部４０３は、判断部４０４による、接続端子４０２に外部メモリ４００が接続されているか否か（第１の判断）の判断結果に基づいて、接続端子４０２に外部メモリ４００が接続されていない場合には、カゴ内を撮影した撮影データを内部メモリ４０１に記録するようにしてもよい。
【００７５】
また、記録制御部４０３は、判断部４０４による、接続端子４０２に外部メモリ４００が接続されているか否か（第１の判断）の判断結果に基づいて、接続端子４０２に外部メモリ４００が接続されていない場合には、カゴ内を撮影した撮影データを内部メモリ４０１に記録せずに、当該撮影データを破棄するようにしてもよい。その場合に、エラーメッセージを出力し、当該撮影データを破棄する旨の通知をおこなうようにしてもよい。
【００７６】
そして、記録制御部４０３は、判断部４０４による、接続端子４０２に接続されている外部メモリ４００に空き領域があるか否か（第２の判断）の判断結果に基づいて、接続端子４０２に接続されている外部メモリ４００に空き領域がない場合に、撮影データを内部メモリ４０１に記録する。
【００７７】
また、記録制御部４０３は、判断部４０４による、接続端子４０２に接続されている外部メモリ４００に空き領域があるか否か（第２の判断）の判断結果に基づいて、接続端子４０２に接続されている外部メモリ４００に空き領域がない場合に、外部メモリ４００に記憶されている撮影データの全部または一部を、内部メモリ４０１へ転送するようにしてもよい。
【００７８】
さらに、記録制御部４０３は、外部メモリ４００に記憶されている撮影データの全部または一部を内部メモリ４０１へ転送する際に、転送する撮影データの全部または一部をデータ圧縮して、内部メモリ４０１に記録するようにしてもよい。
【００７９】
記録制御部４０３は、判断部４０４による、接続端子４０２に接続されている外部メモリ４００に空き領域があるか否か（第２の判断）、および、内部メモリ４０１に空き領域があるか否か（第３の判断）の判断結果に基づいて、接続端子４０２に接続されている外部メモリ４００および内部メモリ４０１ともに空き領域がない場合に、外部メモリ４００または内部メモリ４０１に記憶されている撮影データのうちの所定の撮影データを削除するようにしてもよい。
【００８０】
通知部４０５は、外部メモリ４００が接続端子４０２に接続された際に、外部メモリ４００が接続端子４０２に接続された旨を通知する。また、通知部４０５は、接続端子４０２に接続されていた外部メモリ４００が当該接続を解除された際に、当該接続が解除された旨を通知する。通知部４０５は、その旨を無線通信または有線通信によってあらかじめ設定した、図示を省略する外部装置へ送信するようにしてもよい。
【００８１】
通知部４０５は、図３に示した入出力デバイス３０６（たとえばディスプレイ、スピーカなど）や、通信Ｉ／Ｆ３０３などによってその機能を実現することができる。
【００８２】
また、防犯カメラ装置１０３は、内部メモリ４０１または外部メモリ４００のいずれかを選択する選択部４０６を備えるようにしてもよい。そして、記録制御部４０３は、選択部４０６による選択結果に基づいて、カゴ１００内を撮影した撮影データを、内部メモリ４０１または外部メモリ４００のいずれか一方に記録するようにしてもよい。
【００８３】
選択部４０６は、たとえば、後述する図５に示した切替スイッチＳＷ２による切り替えの選択指示に基づいて、内部メモリ４０１または外部メモリ４００のいずれかを選択する。そして、記録制御部４０３は、選択部４０６による選択結果に基づいて、カゴ１００内を撮影した撮影データを、内部メモリ４０１または外部メモリ４００に記録する。
【００８４】
また、記録制御部４０３は、外部装置（たとえば、クラウドサーバなど）との通信機能を備え、内部メモリ４０１または外部メモリ４００に記録された撮影データを外部装置へ送信することもできる。外部装置への送信は、具体的には、たとえば、無線送信あるいはコンセントプラグを介した有線送信などである。その際、記録制御部４０３は、所定のパスワードを用いて、撮影データを暗号化する機能も備えていてもよい。この場合、記録制御部４０３は、図３に示した入出力デバイス３０６（たとえばディスプレイ、スピーカなど）や、通信Ｉ／Ｆ３０３などによってその機能を実現することができる。
【００８５】
図５は、この発明にかかる実施の形態の防犯カメラ装置の切替スイッチ一覧の内容の一例を示す説明図である。
【００８６】
図５において、防犯カメラ装置１０３は、１２個（ＳＷ１〜ＳＷ１２）の切替スイッチを備えている。切替スイッチは、オン（『１』）またはオフ（『０』）の切り替えをおこなう。切替スイッチは、図示は省略するが、メカスイッチでもよく、ソフトスイッチでもよい。ソフトスイッチの場合は、図示は省略するが、ディスプレイを設けて、そのディスプレイに切替スイッチの切り替え設定の状態を示すようにしてもよい。
【００８７】
また、図３に示した入出力デバイス３０６（マイクなど）を用いた音声認識機能により、切替スイッチの切り替え設定をおこなうこともできる。また、外部装置から通信Ｉ／Ｆ３０３などを用いて切替スイッチの切り替え設定をおこなうこともできる。
【００８８】
第１の切替スイッチ（ＳＷ１）は、外部メモリ４００が接続端子４０２に接続されていない場合における映像データの取扱いについて規定している。第１の切替スイッチにおいて、ＳＷ１＝『１』の場合に、撮影データを内部メモリ４０１に記録することとする。ＳＷ１を『１』にすることによって、外部メモリ４００の装着忘れや、装着不良などの状況においても、確実に撮影データを記録しておくことができる。また、外部メモリ４００の取り外し作業をおこなっている際も、連続して撮影データを記録することができる。
【００８９】
一方、ＳＷ１＝『０』の場合に、撮影データを破棄する。すなわち、内部メモリ４０１に記録しないこととする。ＳＷ１を『０』にするのは、たとえば、内部メモリ４０１の容量が小さい場合や、内部メモリ４０１を別のデータの記録などに用いる場合などが考えられる。
【００９０】
第２の切替スイッチ（ＳＷ２）は、外部メモリ４００が接続端子４０２に接続されている場合における映像データの取扱いについて規定している。第２の切替スイッチにおいて、ＳＷ２＝『１』の場合に、外部メモリ４００を優先して、撮影データを記録する。一方、ＳＷ２＝『０』の場合に、内部メモリ４０１を優先して、撮影データを記録する。
【００９１】
ＳＷ２を『１』とすることによって、内部メモリ４０１を他のデータの記録などに有効に利用することができる。また、外部メモリ４００の記憶容量に応じて、長時間に渡る撮影データを記録することができる。また、外部メモリ４００の記憶容量に応じて、高画質な映像データを記録することができる。また、外部メモリ４００を取り出すことによって、容易に記録データを他の機器において再生することができる。また、外部メモリ４００に記憶し、外部メモリ４００を管理することによって、撮影データの管理を容易にかつ確実におこなうことができる。
【００９２】
以下、第３の切替スイッチ（ＳＷ３）から第７の切替スイッチ（ＳＷ７）は、第２の切替スイッチ（ＳＷ２）＝『１』の場合に有効となるスイッチであって、第２の切替スイッチ（ＳＷ２）＝『０』の場合には無効となる。一方、第８の切替スイッチ（ＳＷ８）から第１２の切替スイッチ（ＳＷ１２）は、第２の切替スイッチ（ＳＷ２）＝『０』の場合に有効となるスイッチであって、第２の切替スイッチ（ＳＷ２）＝『１』の場合には無効となる。
【００９３】
第３の切替スイッチ（ＳＷ３）は、第２の切替スイッチ（ＳＷ２）＝『１』において、外部メモリ４００に空き領域がない場合における映像データの取扱いについて規定している。第３の切替スイッチ（ＳＷ３）において、ＳＷ３＝『１』の場合に、内部メモリ４０１を利用して、撮影データを記録する。ＳＷ３を『１』にすることによって、撮影データが連続的に記録されることになるだけでなく、さらに、外部メモリ４００に記録された撮影データが消去されずに保存されることになる。
【００９４】
一方、ＳＷ３＝『０』の場合に、撮影データは、外部メモリ４００に上書きする。ＳＷ３を『０』にすることによって、内部メモリ４０１を他のデータの記録などに有効に利用することができ、撮影データを記録することによって、内部メモリ４０１の記憶領域を圧迫してしまうことがない。
【００９５】
第４の切替スイッチ（ＳＷ４）は、第３の切替スイッチ（ＳＷ３）＝『１』における撮影データの取扱いについて規定している。したがって、第３の切替スイッチ（ＳＷ３）＝『０』の場合は、第４の切替スイッチ（ＳＷ４）は無効である。
【００９６】
第４の切替スイッチ（ＳＷ４）において、ＳＷ４＝『１』の場合に、新たな撮影データを内部メモリ４０１に記録する。ＳＷ４を『１』にすることによって、最新の撮影データは、内部メモリ４０１に記録されることになる。一方、ＳＷ４＝『０』の場合に、外部メモリ４００に記録された撮影データを内部メモリ４０１へ転送する。ＳＷ４を『０』にすることによって、最新の撮影データは、外部メモリ４００に記録されることになる。
【００９７】
第５の切替スイッチ（ＳＷ５）は、第４の切替スイッチ（ＳＷ４）＝『０』における撮影データの取扱いについて規定している。したがって、第４の切替スイッチ（ＳＷ４）＝『１』の場合は、第５の切替スイッチ（ＳＷ５）は無効である。
【００９８】
第５の切替スイッチ（ＳＷ５）において、ＳＷ５＝『１』の場合に、外部メモリ４００に記録された撮影データを内部メモリ４０１へ転送する際、転送データを圧縮する。一方、ＳＷ５＝『０』の場合に、転送データを圧縮しない。ＳＷ５を『１』にすることによって、撮影データの容量を小さくすることができ、内部メモリ４０１の記憶領域をより有効に利用することができる。一方、ＳＷ５を『０』にすることによって、内部メモリ４０１に記録した撮影データの画質を担保することができる。
【００９９】
第６の切替スイッチ（ＳＷ６）は、第４の切替スイッチ（ＳＷ４）＝『１』において、新たな撮影データを内部メモリ４０１に記録するにあたり、内部メモリ４０１に空き領域がない場合の撮影データの取扱いについて規定している。したがって、第４の切替スイッチ（ＳＷ４）＝『０』の場合は、第６の切替スイッチ（ＳＷ６）は無効である。
【０１００】
第６の切替スイッチ（ＳＷ６）において、ＳＷ６＝『１』の場合に、撮影データは、外部メモリ４００に上書きする。ＳＷ６を『１』にすることによって、最新の撮影データは、外部メモリ４００に記録されることになる。一方、ＳＷ６＝『０』の場合に、撮影データは、内部メモリ４０１に上書きする。ＳＷ６を『０』にすることによって、最新の撮影データは、内部メモリ４０１に記録されることになる。
【０１０１】
第７の切替スイッチ（ＳＷ７）は、第４の切替スイッチ（ＳＷ４）＝『０』において、外部メモリ４００に記録された撮影データを内部メモリ４０１へ転送するにあたり、内部メモリ４０１に空き領域がない場合の撮影データの取扱いについて規定している。したがって、第４の切替スイッチ（ＳＷ４）＝『１』の場合は、第７の切替スイッチ（ＳＷ７）は無効である。
【０１０２】
第７の切替スイッチ（ＳＷ７）において、ＳＷ７＝『１』の場合に、撮影データは、内部メモリ４０１に上書きする。ＳＷ７を『１』にすることによって、最新の撮影データは、内部メモリ４０１に記録されることになる。一方、ＳＷ７＝『０』の場合に、撮影データを破棄する。ＳＷ７を『０』にすることによって、最新の撮影データは、記録されないことになる。
【０１０３】
第８の切替スイッチ（ＳＷ８）は、第２の切替スイッチ（ＳＷ２）＝『０』において、内部メモリ４０１に空き領域がない場合における映像データの取扱いについて規定している。第８の切替スイッチ（ＳＷ８）において、ＳＷ８＝『１』の場合に、外部メモリ４００を利用して、撮影データを記録する。ＳＷ８を『１』にすることによって、撮影データが連続的に記録されることになるだけでなく、さらに、内部メモリ４０１に記録された撮影データが消去されずに保存されることになる。
【０１０４】
一方、ＳＷ８＝『０』の場合に、撮影データは、内部メモリ４０１に上書きする。ＳＷ８を『０』にすることによって、外部メモリ４００を他のデータの記録などに有効に利用することができ、撮影データを記録することによって、外部メモリ４００の記憶領域を圧迫してしまうことがない。
【０１０５】
第９の切替スイッチ（ＳＷ９）は、第８の切替スイッチ（ＳＷ８）＝『１』における撮影データの取扱いについて規定している。したがって、第８の切替スイッチ（ＳＷ８）＝『０』の場合は、第９の切替スイッチ（ＳＷ９）は無効である。
【０１０６】
第９の切替スイッチ（ＳＷ９）において、ＳＷ９＝『１』の場合に、新たな撮影データを外部メモリ４００に記録する。ＳＷ９を『１』にすることによって、最新の撮影データは、外部メモリ４００に記録されることになる。一方、ＳＷ９＝『０』の場合に、内部メモリ４０１に記録された撮影データを外部メモリ４００へ転送する。ＳＷ９を『０』にすることによって、最新の撮影データは、内部メモリ４０１に記録されることになる。
【０１０７】
第１０の切替スイッチ（ＳＷ１０）は、第９の切替スイッチ（ＳＷ９）＝『０』における撮影データの取扱いについて規定している。したがって、第９の切替スイッチ（ＳＷ９）＝『１』の場合は、第１０の切替スイッチ（ＳＷ１０）は無効である。
【０１０８】
第１０の切替スイッチ（ＳＷ１０）において、ＳＷ１０＝『１』の場合に、内部メモリ４０１に記録された撮影データを外部メモリ４００へ転送する際、転送データを圧縮する。一方、ＳＷ１０＝『０』の場合に、転送データを圧縮しない。ＳＷ１０を『１』にすることによって、撮影データの容量を小さくすることができ、外部メモリ４００の記憶領域をより有効に利用することができる。一方、ＳＷ１０を『０』にすることによって、外部メモリ４００に記録した撮影データの画質を担保することができる。
【０１０９】
第１１の切替スイッチ（ＳＷ１１）は、第９の切替スイッチ（ＳＷ９）＝『１』において、新たな撮影データを外部メモリ４００に記録するにあたり、外部メモリ４００に空き領域がない場合の撮影データの取扱いについて規定している。したがって、第９の切替スイッチ（ＳＷ９）＝『０』の場合は、第１１の切替スイッチ（ＳＷ１１）は無効である。
【０１１０】
第１１の切替スイッチ（ＳＷ１１）において、ＳＷ１１＝『１』の場合に、撮影データは、内部メモリ４０１に上書きする。ＳＷ１１を『１』にすることによって、最新の撮影データは、内部メモリ４０１に記録されることになる。一方、ＳＷ１１＝『０』の場合に、撮影データは、外部メモリ４００に上書きする。ＳＷ１１を『０』にすることによって、最新の撮影データは、外部メモリ４００に記録されることになる。
【０１１１】
第１２の切替スイッチ（ＳＷ１２）は、第９の切替スイッチ（ＳＷ９）＝『０』において、内部メモリ４０１に記録された撮影データを外部メモリ４００へ転送するにあたり、外部メモリ４００に空き領域がない場合の撮影データの取扱いについて規定している。したがって、第９の切替スイッチ（ＳＷ９）＝『１』の場合は、第１２の切替スイッチ（ＳＷ１２）は無効である。
【０１１２】
第１２の切替スイッチ（ＳＷ１２）において、ＳＷ１２＝『１』の場合に、撮影データは、外部メモリ４００に上書きする。ＳＷ１２を『１』にすることによって、外部メモリ４００に記録されることになる。一方、ＳＷ１２＝『０』の場合に、撮影データは、撮影データを破棄する。ＳＷ１２を『０』にすることによって、最新の撮影データは、記録されないことになる。
【０１１３】
このように、切替スイッチによって、撮影データを、内部メモリ４０１または外部メモリ４００に記録することができる。切替スイッチは、上記１２個に限定されるものではなく、その他、使用の状況に応じて、他の種類の切替スイッチを追加することができる。
【０１１４】
（防犯カメラ装置１０３が実行する処理手順）
図６は、この発明にかかる実施の形態の防犯カメラ装置が実行する処理の手順の一例を示すフローチャートである。
【０１１５】
図６のフローチャートにおいて、防犯カメラ装置１０３は、外部メモリ４００が接続されているか否かを判断する（ステップＳ６０１）。ここで、外部メモリ４００が接続されていない場合（ステップＳ６０１：Ｎｏ）は、ステップＳ６０５へ移行する。一方、外部メモリ４００が接続されている場合（ステップＳ６０１：Ｙｅｓ）は、つぎに、外部メモリ４００が選択されているか否かを判断する（ステップＳ６０２）。この判断は、たとえば、図５に示した第２の切替スイッチ（ＳＷ２）によっておこなうことができる。
【０１１６】
ステップＳ６０２において、外部メモリ４００が選択されていない場合（ステップＳ６０２：Ｎｏ）は、ステップＳ６０５へ移行する。一方、外部メモリ４００が選択されている場合（ステップＳ６０２：Ｙｅｓ）は、つぎに、外部メモリ４００に空き領域があるか否かを判断する（ステップＳ６０３）。
【０１１７】
ステップＳ６０３において、外部メモリ４００に空き領域がない場合（ステップＳ６０３：Ｎｏ）は、ステップＳ６０５へ移行する。一方、外部メモリ４００に空き領域がある場合（ステップＳ６０３：Ｙｅｓ）は、撮影データを外部メモリ４００に記録する（ステップＳ６０４）。その後、ステップＳ６０１へ戻る。
【０１１８】
外部メモリ４００が接続されていない場合（ステップＳ６０１：Ｎｏ）、外部メモリ４００が選択されていない場合（ステップＳ６０２：Ｎｏ）、外部メモリ４００に空き領域がない場合（ステップＳ６０３：Ｎｏ）に移行したステップＳ６０５において、内部メモリ４０１に空き領域があるか否かを判断する（ステップＳ６０５）。ここで、内部メモリ６０５に空き領域がない場合（ステップＳ６０５：Ｎｏ）は、ステップＳ６１１へ移行する。
【０１１９】
一方、ステップＳ６０５において、内部メモリ４０１に空き領域がある場合（ステップＳ６０５：Ｙｅｓ）は、転送指示があるか否かを判断する（ステップＳ６０５）。この判断は、たとえば、図５に示した第４の切替スイッチ（ＳＷ４）によっておこなうことができる。ここで、転送指示がない場合（ステップＳ６０６：Ｎｏ）は、撮影データを内部メモリ４０１に記録する（ステップＳ６０７）。その後、ステップＳ６０１へ戻る。
【０１２０】
ステップＳ６０６において、転送指示がある場合（ステップＳ６０６：Ｙｅｓ）は、転送データの圧縮指示があるか否かを判断する（ステップＳ６０８）。この判断は、たとえば、図５に示した第５の切替スイッチ（ＳＷ５）によっておこなうことができる。ここで、圧縮指示がある場合（ステップＳ６０８：Ｙｅｓ）は、転送データを圧縮処理し（ステップＳ６０９）、ステップＳ６１０へ移行する。
【０１２１】
一方、ステップＳ６０８において、圧縮指示がない場合（ステップＳ６０８：Ｎｏ）は、何もせずに、ステップＳ６１０へ移行する。ステップＳ６１０において、転送データの転送処理（転送対象となっている、外部メモリ４００に記憶されている撮影データを、内部メモリ４０１へ転送する処理）をおこない（ステップＳ６１０）、その後、ステップＳ６０１へ戻る。
【０１２２】
ステップＳ６０５において、内部メモリ４０１に空き領域がない場合（ステップＳ６０５：Ｎｏ）に移行したステップＳ６１１において、記録済みの撮影データのうち所定のデータを削除する（ステップＳ６１１）。ここで、削除する所定のデータは、外部メモリ４００に記憶されているデータであってもよく、また、内部メモリ４０１に記憶されているデータであってもよい。
【０１２３】
削除する撮影データは、たとえば、撮影した日時が最も古い撮影データであってもよい。これにより、常により新しい撮影データを記憶しておくことができる。削除する撮影データは、これ以外のルールによって決定するようにしてもよい。そして、複数のルールが存在する場合に、各ルールを適用する際における優先順位についても、任意に設定することができる。
【０１２４】
その後、ステップＳ６０１へ戻る。そして、ステップＳ６０４において、外部メモリ４００に記録されるか、あるいは、ステップＳ６０７において、内部メモリ４０１に記録されることによって、上書き処理がおこなわれることになる。
【０１２５】
以上説明したように、この発明にかかる実施の形態の防犯カメラ装置１０３は、電源工事のみで、簡単に取付（後付け）することができる。これにより、今まで防犯カメラ装置を備えていないエレベーターにおいて、その普及を促進することができ、エレベーター内の事故や犯罪を未然に防ぐ抑止力になる。また、防犯カメラ装置１０３において、撮影データを効率的に記録することができるため、撮影データを記録するための新たな装置を、エレベーター（たとえばカゴ上）に設置する必要がない。
【０１２６】
なお、本実施の形態で説明した防犯カメラ装置１０３において実行される各種プログラムは、あらかじめ用意されたプログラムをパーソナルコンピュータやワークステーションなどのコンピュータで実行することにより実現することができる。防犯支援プログラムは、ハードディスク、フレキシブルディスク、ＣＤ（Ｃｏｍｐａｃｔ  Ｄｉｓｃ）−ＲＯＭ、ＭＯ（Ｍａｇｎｅｔｏ−Ｏｐｔｉｃａｌ  Ｄｉｓｋ）、ＤＶＤ（Ｄｉｇｉｔａｌ  Ｖｅｒｓａｔｉｌｅ  Ｄｉｓｋ）、ＵＳＢ（Ｕｎｉｖｅｒｓａｌ  Ｓｅｒｉａｌ  Ｂｕｓ）メモリなどのコンピュータで読み取り可能な記録媒体に記録され、コンピュータによって記録媒体から読み出されることによって実行される。また、これらのプログラムは、インターネットなどのネットワークを介して配布してもよい。
【産業上の利用可能性】
【０１２７】
以上のように、この発明にかかる防犯カメラ装置は、エレベーターのカゴ内に設置され、当該カゴ内を撮影する防犯カメラ装置に有用であり、特に、その防犯カメラ装置で撮影した撮影データを効率よく記録することにより、エレベーター内の犯罪を抑止する防犯カメラ装置に適している。
【符号の説明】
【０１２８】
１００  カゴ
１０１  扉
１０２  操作盤
１０３  防犯カメラ装置
１０４  プラグソケット
２０１  撮像部
２０２  筐体
２０３  カバー
２０４  カードスロット
２０５  コンセントプラグ
２１０  メモリカード
４００  外部メモリ
４０１  内部メモリ
４０２  接続端子
４０３  記録制御部
４０４  判断部
４０５  通知部
４０６  選択部
【図１】
2020109045.tif 000003
【図２Ａ】
2020109045.tif 000004
【図２Ｂ】
2020109045.tif 000005
【図３】
2020109045.tif 000006
【図４】
2020109045.tif 000007
【図５】
2020109045.tif 000008
【図６】
2020109045.tif 000009